(57)【特許請求の範囲】
【請求項１】
受動式給水プランターであって、内層プランター、外層プランター、漏れ止め部材、導管から成るプランターユニットを含み、
前記内層プランターは、内層プランターの底面及び側面に囲まれてなる凹陥状の収容区域を有すると共に、前記底面に下方向に延伸された内凹部が形成され、前記内凹部に貫通状の浸水孔が形成され、且つ結合部が設けられ、
前記外層プランターは中空の凹陥状の透明材質であり、且つ接合部が形成され、
前記外層プランターの接合部を前記内層プランターの結合部に螺合方式で組み込むことにより、前記外層プランターを前記内層プランターの外周側に設置可能であり、且つ前記内層プランター及び前記外層プランター間に挟まれて中空状の空間区域が形成され、且つ前記浸水孔と前記空間区域が連通され、
前記漏れ止め部材は、前記内層プランターと前記外層プランターの間に緊密に挟んで設置され、且つ前記空間区域の上半部区域を気体漏れのない緊密な状態とし、
前記導管が一体成型によって前記内層プランターに結合され、前記導管の上端及び下端が前記空間区域外側の空気と前記空間区域内にそれぞれ連通され、前記空間区域内部と前記空間区域外側の空気の連通に用いられ、前記内層プランターの内凹部の側壁が浸水部材の外周を囲むよう周設されて、浸水部材が前記浸水孔から前記収容区域に収容された土壌までの間の水流経路に配置され、且つ前記浸水部材の上縁の最高点が前記導管の下端の最低点より高く形成され、前記浸水部材の一端が前記浸水孔に穿通されて前記内層プランターと前記外層プランターの間の前記空間区域内に進入され、且つ前記浸水部材が複数の粒子を焼結して形成され、前記粒子間に不規則な間隙が連通された微小流路が形成されていることを特徴とする、受動式給水プランター。
【請求項２】
前記外層プランターに最高水位表示部を設けたことを特徴とする、請求項１に記載の受動式給水プランター。
【請求項３】
前記最高水位表示部が前記外層プランターの内側表面または外側表面に設置されたことを特徴とする、請求項２に記載の受動式給水プランター。
【請求項４】
前記最高水位表示部と前記プランターユニットの外層プランターが一体成型により結合されていることを特徴とする、請求項３に記載の受動式給水プランター。
【請求項５】
前記最高水位表示部は、前記外層プランターに貼付または着色加工によって設けられたことを特徴とする、請求項３に記載の受動式給水プランター。
【請求項６】
前記内層プランターの下端に、周囲を環状Ｕ字形凹面により囲まれ、前記収容区域の内部に突出した底面が設けられていることを特徴とする、請求項１に記載の受動式給水プランター。
【請求項７】
前記内層プランターまたは前記外層プランターに注水ユニットが設置され、前記注水ユニットの一端が前記空間区域内に連通され、前記注水ユニットの他端を被覆する封鎖ユニットが設けられ、前記注水ユニットと前記封鎖ユニットの間に漏れ止め部材が挟み込まれたことを特徴とする、請求項１に記載の受動式給水プランター。
【請求項８】
受動式給水プランターであって、内層プランター、外層プランター、漏れ止め部材、導管から成るプランターユニットを含み、
前記内層プランターは、内層プランターの底面及び側面に囲まれてなる凹陥状の収容区域を有すると共に、前記底面に下方向に延伸された内凹部が形成され、前記内凹部に貫通状の浸水孔が形成され、且つ結合部が設けられ、
前記外層プランターは中空の凹陥状の透明材質であり、且つ接合部が形成され、
前記外層プランターの接合部を前記内層プランターの結合部に螺合方式で組み込むことにより、前記外層プランターを前記内層プランターの外周側に設置可能であり、且つ前記内層プランター及び前記外層プランター間に挟まれて中空状の空間区域が形成され、且つ前記浸水孔と前記空間区域が連通され、
前記漏れ止め部材は、前記内層プランターと前記外層プランターの間に緊密に挟んで設置され、且つ前記空間区域の上半部区域を気体漏れのない緊密な状態とし、
前記導管が組み立て方式によって前記内層プランターに組み込まれ、前記導管の上端及び下端が前記空間区域外側の空気と前記空間区域内にそれぞれ連通され、前記空間区域内部と前記空間区域外側の空気の連通に用いられ、前記内層プランターの内凹部の側壁が浸水部材の外周を囲むよう周設されて、浸水部材が前記浸水孔から前記収容区域に収容された土壌までの間の水流経路に配置され、且つ前記浸水部材の上縁の最高点が前記導管の下端の最低点より高く形成され、前記浸水部材の一端が前記浸水孔に穿通されて前記内層プランターと前記外層プランターの間の前記空間区域内に進入され、且つ前記浸水部材が複数の粒子を焼結して形成され、前記粒子間に不規則な間隙が連通された微小流路が形成されていることを特徴とする、受動式給水プランター。
【請求項９】
前記外層プランターに最高水位表示部を設けたことを特徴とする、請求項８に記載の受動式給水プランター。
【請求項１０】
前記最高水位表示部が前記外層プランターの内側表面または外側表面に設置されたことを特徴とする、請求項９に記載の受動式給水プランター。
【請求項１１】
前記最高水位表示部と前記プランターユニットの外層プランターが一体成型により結合されていることを特徴とする、請求項１０に記載の受動式給水プランター。
【請求項１２】
前記最高水位表示部は、前記外層プランターに貼付または着色加工によって設けられたことを特徴とする、請求項１０に記載の受動式給水プランター。
【請求項１３】
前記内層プランターの下端に、周囲を環状Ｕ字形凹面により囲まれ、前記収容区域の内部に突出した底面が設けられていることを特徴とする、請求項８に記載の受動式給水プランター。
【請求項１４】
前記内層プランターまたは前記外層プランターに注水ユニットが設置され、前記注水ユニットの一端が前記空間区域内に連通され、前記注水ユニットの他端を被覆する封鎖ユニットが設けられ、前記注水ユニットと前記封鎖ユニットの間に漏れ止め部材が挟み込まれたことを特徴とする、請求項８に記載の受動式給水プランター。
【発明の詳細な説明】
【技術分野】
【０００１】
本発明は、鉢植え用の受動式給水プランターに関する。
【背景技術】
【０００２】
常用されているプランターは、花の苗または樹木の苗を問わず、その多くが一体型の陶器またはプラスチックから成る。このような従来のプランターは、一般に単層で構成されており、プランターの中央部に凹陥状の容器空間が形成され、且つ容器空間の底面に穿通孔が設けられ、土壌を容器空間内に入れて、水遣りが多すぎたときは土壌内に浸み入った水分を直接穿通孔から下に流出させ、湿潤した土壌で花や樹木の苗を栽培し、生長させることができる。特許出願人は本発明に関連する公知文献を知らない。
【０００３】
上述のプランターの構造は鉢植え栽培という目的を達することはできるが、使用時に次のような問題が発生する。
一．花または樹木の苗は栽培と生長の過程で朝晩適量の水をやる必要があるが、一般家庭は植物栽培について知識が限られており、主観的に水は多めのほうが不足するよりは植物にとって有利であると考え、経常的に水を多めにやりすぎてしまい、多すぎる水が土壌内を下に浸み込み、土を含んだ水流がプランターの穿通孔から排出されるまで水遣りを続けてしまい、プランターを配置した場所付近の環境を汚してしまうだけでなく、長期間の使用を経るとプランター内の土壌の流失も引き起こしてしまう。
二．さらに、現代人の住宅は高層のマンションが多く、このため水遣りをしたときの泥水が階下に滴り落ちると、自分の住居のベランダと建物の環境が不潔になるだけでなく、同時に滴り落ちる水の騒音が階下の隣人の迷惑となり、衝突を引き起こしたり、訴訟に発展することさえあり得る。
三．従来のプランターは多くが単層式であるため、太陽光の長時間の照射を受けると、プランターが吸収した熱が土壌内に伝導され、プランター内底部の土壌が高温高湿になって、高温高湿の土壌内にある植物の根部が傷んで死んでしまい、生長できなくなることがある。
四．現代人は出国や旅行の機会が多く、出国または旅行の期間中は花や樹木に水をやることができないため、出国や旅行が終わって家に戻ると花や樹木が枯れて死んでしまっていることがある。
このため、従来のプランターは、主に庭がある住宅での生活方式に適しており、すでに現代人の高層住宅における生活様式と生活リズムのニーズに適応できなくなっている。
【発明の概要】
【発明が解決しようとする課題】
【０００４】
本発明が解決しようとする課題は、収容区域と空間区域の間を流れる水流の方向、微量の流量及び流速を効果的に制御し、且つ浸水部材を長期間水中に浸漬させても腐ることがなく、且つ収容区域内の土壌の湿度を調節する機能と、長時間の水分取り込み効果を備えており、同時に水分子の表面張力作用により、水分子を浸水部材の微小流路方向に沿ってゆっくりと空間区域の土壌内に浸み込ませて拡散分布させ、微量の給水により土壌内を一定割合の湿度に保ち、植物の生存率を高め、旅行期間中も水遣りの必要なく植物の栽培を継続することができると共に、水遣りの水が滴り落ちない環境保護に適した、受動式給水プランターを提供することにある。
【課題を解決するための手段】
【０００５】
【０００６】
本発明の受動式給水プランターは、内層プランター、外層プランター、漏れ止め部材、導管から成るプランターユニットを含み、前記内層プランターは、内層プランターの底面及び側面に囲まれてなる凹陥状の収容区域を有すると共に、前記底面に貫通状の浸水孔が形成され、且つ結合部が設けられ、前記外層プランターは中空の凹陥状の透明材質であり、且つ接合部が形成され、前記外層プランターの接合部を前記結合部に組み込むことにより、前記外層プランターを前記内層プランターの外周側に設置可能であり、且つ前記内層プランター及び前記外層プランター間に挟まれて中空状の空間区域が形成され、且つ前記浸水孔と前記空間区域が連通され、前記漏れ止め部材は、前記内層プランターと前記外層プランターの間に緊密に挟んで設置され、且つ前記空間区域の上半部区域を気体漏れのない緊密な状態とし、前記導管の上端及び下端が前記空間区域外側の空気と前記空間区域内にそれぞれ連通され、前記空間区域内部と前記空間区域外側の空気の連通に用いられる。
【０００７】
透明材質より成る前記外層プランターに最高水位表示部を設けてもよい。
【発明の効果】
【０００８】
本発明によれば、中空の空間区域を利用して、多量の水を貯水することができるので、空間区域内の水分子を微量ずつ自動給水することにより土壌を一定割合の湿度に保ち、空間区域内の貯水量で一定期間別途水遣りの必要なく給水を持続するように確保でき、旅行や外出時も毎日水遣りの必要なく植物の正常な生長を保持するという利便性を達し、従来のプランター底部の水分が多すぎて植物が根腐れする現象を防止し、克服することができる。
【０００９】
また、透明な外層プランターに最高水位表示部を形成すれば、透明状の外層プランターにより光線が直接空間区域内に入射できるようにすることで、消費者が直接目視で水を加えるときの最高水位の高さ、土壌湿度の制御、植物の生長の観察研究、貯蔵水の流れる方向と流速の観察ができるほか、同時に空間区域内で別途水生植物を栽培したり、水生動物を育てたり、造景物を入れたりして、室内環境の美化と室内空間の緑化を図ることができ、且つ病媒蚊の発生を防止して、オフィスで働く人々の仕事のストレスを緩和し、作業効率を高めることに役立てることができる。
【図面の簡単な説明】
【００１０】
【図１】参考例を示す受動式給水プランターの斜視図。
【図２】参考例を示す受動式給水プランターの使用状態における断面図。
【図３】参考例を示す受動式給水プランターの要部拡大断面図。
【図４】参考例を示す受動式給水プランターの別の使用状態における断面図。
【図５】実施例１を示す受動式給水プランターの分解断面図。
【図６】実施例１に係る外層プランターの注水時の断面図。
【図７】実施例１を示す受動式給水プランターの使用状態における断面図。
【図８】実施例１を示す受動式給水プランターの要部拡大断面図。
【図９】実施例１を示す受動式給水プランターの側面図。
【図１０】実施例２を示す受動式給水プランターの側面図。
【図１１】実施例３を示す受動式給水プランターの断面図。
【発明を実施するための形態】
【００１１】
以下、本発明の実施例を図面に基づいて詳細に説明する。
図１〜図４は、参考例を示す。
参考例において、受動式給水プランターは、プランターユニット１と浸水部材２を含む。
プランターユニット１は、凹陥状の収容区域１３を備えた内層プランター１０、内層プランター１０を支持する外層プランター１１、外層プランター１１と内層プランター１０の間に挟まれて配置された空間区域１２、及び空間区域１２に連結された注水ユニット１５を含む。
【００１２】
収容区域１３とは、内層プランター１０の底面１０１及び側面１０２に囲まれて成る区域を指す。
底面１０１には下に向かって延伸された内凹部１４が形成され、内凹部１４に１個以上の貫通状の浸水孔１４１が形成される。浸水孔１４１は収容区域１３から中空状の空間区域１２の間の連結通路となる。なお、内凹部１４は、全高さに亘って均一径の一階層とすることも、径の異なる層を複数重ねた多階層とすることもできる。
内凹部１４の側壁が浸水部材２の外周を囲むように周設されて、浸水孔１４１は複数の粒子２０、２０’を焼結して構成された浸水部材２の末端を穿入させるために用いることができる。つまり、浸水部材２の末端位置が浸水孔１４１の下縁付近まで延伸される、または浸水孔１４１の下縁から突出する（即ち、浸水孔１４１の下縁から延伸されて空間区域１２内に進入された状態を最良とする）。
【００１３】
注水ユニット１５は中空状であり、且つ注水ユニット１５の一端は内層プランター１０または外層プランター１１を貫通して空間区域１２に連通させて設置する。注水ユニット１５の外側に螺合部１５１を、内側に雌ネジ１５２をそれぞれ形成し、封鎖ユニット４（キャップまたはボトル）の一端を注水ユニット１５の外側または内側にそれぞれ螺合可能とすると共に、封鎖ユニット４と注水ユニット１５の間に漏れ止め部材４５（例：オイルシールやパッキン）を挟んで設置し、封鎖ユニット４（図２のキャップ、図４のボトルなど）及び漏れ止め部材４５の作用により空間区域１２を密閉する効果を達する。なお、上述の螺合部１５１は、逆さ鉤としてもよい。
プランターユニット１の内層プランター１０と外層プランター１１の間の結合方式は一体ブロー成型（図２、図４参照）、または一体ブローオーバーモールド、或いは２つの独立部材間を相互に組み立て成型することを最良とできる。
【００１４】
浸水部材２は、複数の粒子２０、２０’を焼結して形成され、且つ浸水部材２内に不規則な間隙が連通された微小流路２１が形成されている。粒子２０、２０’は水に触れても腐らない材質、例えば、金属粒子(例:鉄粒子、銀粒子、錫粒子、銅粒子等)、または石粒子、或いはセラミック粒子とするのが最良であり、特に、金属粒子２０、２０’としては銅粒子が最良である。
図３に示すように、浸水部材２の表面または内部は複数の粒子２０、２０’間を焼結して形成されており、且つ相隣する粒子２０、２０’間には不規則な間隙が連通されて形成された微小流路２１がある。浸水部材２を凹陥状の収容区域１３の内凹部１４上に設置して、浸水部材２の末端を浸水孔１４１と空間区域１２の接続箇所近くまで延伸するか、或いは浸水孔１４１を貫通させて空間区域１２内に突出させ、空間区域１２内に入れられた液体を液体の表面張力と微小流路２１の作用によってゆっくりと上に向かって逆流させて拡散し、浸み込ませる方式で収容区域１３の土壌８内に分布させることができる。
【００１５】
封鎖ユニット４は単一の独立状であり、図２に示すように、封鎖ユニット４がキャップの場合には、その内側に注水ユニット１５外側の螺合部１５１と螺合する雌ネジ４１（または逆さ鉤で置き換えてもよい）が形成され、かつ封鎖ユニット４の内底部に漏れ止め部材４５が取り付けられる。それにより、封鎖ユニット４の雌ネジ４１を注水ユニット１５上に取り付けたとき、封鎖ユニット４の底部と注水ユニット１５の端面の間に漏れ止め部材４５が緊密に挟み込まれ、緊密な密封作用が形成される。
図４に示すように、封鎖ユニット４がボトルの場合は、その口部外側に形成された雄ネジ４２を注水ユニット１５の雌ネジ１５２に螺合すると、注水ユニット１５と封鎖ユニット４の間に適切な緊密度が形成され、保持される。
【００１６】
植物９０を栽培するときは、まず浸水部材２を直接内凹部１４の浸水孔１４１内に取り付け、且つ浸水部材２の末端を内凹部１４の浸水孔１４１内に挿入させて空間区域１２内に突出させるだけで、浸水部材２が収容区域１３から空間区域１２の間の流動経路上に位置することができる。このとき、浸水部材２の微小流路２１が複数の粒子２０、２０’の焼結により形成されており、不規則に連通された間隙を備えているため、空間区域１２と収容区域１３の間が封鎖されていない状態となる。
さらに、土壌８をプランターユニット１の収容区域１３の適切な高さまで入れて、植物９０を土壌８に植えた後、収容区域１３の上方から水遣りを開始でき、且つ比較的多量の水が土壌８に完全に浸み込むとすぐに、集結して空間区域１２内に滴下し、収容区域１３内に入れられた土壌８上の多すぎる水の量及び水分子が浸水部材２の微小流路２１に沿ってゆっくりと浸み込む方式で空間区域１２内に流入し、濾過して貯水に用いることができ、土壌８の湿度を調節する機能が形成され、水遣りの水が下に滴下しなくなり、環境保護政策を満たすことができる。
【００１７】
水を加える回数を減らすために、水を直接注水ユニット１５から注入してもよく、注入した水はプランターユニット１の空間区域１２内に迅速に流入し、空間区域１２内に流入して溜まった水量の高さが内凹部１４の下縁部の高さに達すると、水分子の表面張力作用及び浸水孔１４１と浸水部材２の微小流路２１間の毛細管作用下で、水分子が浸水孔１４１及び浸水部材２を経由し、ゆっくりと逆流して拡散する方式で浸水部材２及び内凹部１４の間に満ち、さらに、浸水部材２表面近くに敷き詰められた土壌８にも浸み込み、やや湿った状態にすることができる。
このとき、水を注水ユニット１５から注入し続けると、空間区域１２内にすでに貯蔵された水の水位が上がり続けて満水の水位に達する。その後封鎖ユニット４の雌ネジ４１（例えば図２のキャップ）または雄ネジ４２（例えば図４のボトル）を注水ユニット１５外側の螺合部１５１または雌ネジ１５２に螺合すると、注水ユニット１５と封鎖ユニット４の間に適切な緊密度が形成され、保持される。
【００１８】
注水ユニット１５と封鎖ユニット４の間に密閉作用が完成されていない状況にすると、極少量の気体が注水ユニット１５と封鎖ユニット４の間から極めてゆっくりと進入するため、流入した極少量の気体が空間区域１２側の水位表面上を加圧し、水分子を浸水孔１４１及び浸水部材２の間から極めてゆっくりと逆流させる方式で土壌８内に浸み込ませて土壌８が一定の湿度を保ち吸収ができなくなるまで拡散させることができ、これにより、あらかじめ空間区域１２内に貯蔵しておいた水分子が浸水孔１４１と微小流路２１の浸水作用により受動式自動補給給水を行い、毎回の水遣りを必要とせずに植物の生存率を高め、出国期間中も水遣りをせずに継続して植物の栽培ができる。
【００１９】
また、浸水部材２は、腐食しにくい素材の複数の粒子２０、２０’を焼結して形成されており、長期間水中に浸漬されても、浸水部材２が腐ることがなく、また微小流路２１が土壌８の重力で圧迫されて変形して詰まることもないため、水分子の逆流を導引する作用と収容区域１３内の土壌８に必要な湿度を調節する機能を備え、長時間の引水濾過効果を確約することができる。
【００２０】
図５〜図９は、本発明の実施例１を示す。
本実施例において、受動式給水プランターは、プランターユニット１、浸水部材２、漏れ防止ユニット３、導管５を含む。
プランターユニット１は、内層プランター１０と透明の外層プランター１１を含む。
内層プランター１０は透明材質を最良とし、且つ内層プランター１０の適切な箇所に、外層プランター１１と結合するための結合部１０８が形成される。
結合部１０８は、内層プランター１０の収容区域１３の周辺箇所、例えば、内層プランター１の側面１０２の外側、または、図５に示すように、側面１０２の上端部外周を取り巻くように形成された環状面１０２５の内側に形成される。
【００２１】
内層プランター１０の収容区域１３は、内層プランター１０の底面１０１、側面１０２及び環状Ｕ字形凹面１０３に囲まれて成り、底面１０１は周囲の環状Ｕ字形凹面１０３から収容区域１３の内部（上方）に突出して形成される。底面１０１には、下に向かって延伸された内凹部１４が形成される。
内凹部１４には１個以上の貫通状の浸水孔１４１が形成され、浸水孔１４１は収容区域１３から中空状の空間区域１２の間の連結通路となる。
【００２２】
浸水孔１４１は複数の粒子２０、２０’を焼結して構成された浸水部材２の末端を穿入させるために用いることができる。つまり、浸水部材２の末端位置が浸水孔１４１の下縁から突出する（即ち、浸水孔１４１の下縁から延伸されて空間区域１２内に進入された状態を最良とする）。なお、浸水部材２については、参考例で詳しく説明しているため、ここでは説明を省略する。
また、内凹部１４及び浸水孔１４１の最低位置は環状Ｕ字形凹面１０３の最低位置よりやや高く、望ましくは、環状Ｕ字形凹面１０３の最低位置より１０ｍｍ以下だけ高くし、内凹部１４及び浸水孔１４１が外部から見えないようにして、遮蔽作用と美観増進の効果を達することができる。
【００２３】
外層プランター１１は、透明材質で中空の凹陥状に形成してなり、その適切な箇所に内層プランター１０の結合部１０８と係合する接合部１１８が形成される。
外層プランター１１の接合部１１８を内層プランター１０の結合部１０８に組み込み、外層プランター１１を内層プランター１０の外側に配置させて、内層プランター１０と外層プランター１１間に中空状の空間区域１２を形成する。
また、内層プランター１０と外層プランター１１の間に漏れ防止ユニット３を緊密に挟んで設置して、空間区域１２の上半部区域１２０に確実な密閉状態を形成する。
結合部１０８と接合部１１８間の組み込み方式は、螺合方式（図７、図９参照）、またはツイスト方式（傾斜した螺旋状の軌跡に沿って少し捻って回転させる方式）を最良とし、結合部１０８及び接合部１１８は、ねじ山、または溝状軌道、突出状軌道等を最良とする。
【００２４】
また、外層プランター１１には最高水位表示部１１９が形成される。最高水位表示部１１９は、外層プランター１１の内側表面または外側表面に、外層プランター１１と一体成型するか、成型後の加工（例：貼付加工、着色加工、転写加工、印刷加工等）により形成することができる。これにより、消費者が直接目視によって外層プランター１１内に投入できる最高の水位を識別するために用いることができる。最高水位表示部１１９は横方向または縦方向に配列した溝、または突出部分、図案、色帯を最良とする。
【００２５】
漏れ防止ユニット３は弾性状であり、内層プランター１０の上端面、または内層プランター１０の側面１０２の外側上端部、或いは内層プランター１０の環状面１０２５の内側、または外層プランター１１の外側上端部、或いは外層プランター１１の内側上端部に設置することができる。
そして、外層プランター１１の接合部１１８を内層プランター１０の結合部１０８に組み込んだとき、内層プランター１０の上端部と外層プランター１１の上端部間に漏れ防止ユニット３が緊密に挟み込まれ、内層プランター１０と外層プランター１１の間に形成された中空状の空間区域１２の上半部区域１２０を緊密な気体漏れのない状態とすることができる。
【００２６】
導管５は中空状をなし、内層プランター１０または外層プランター１１に組み込まれる。
導管５の上端５０は空間区域１２の外部に連通されて空気に接触し、且つ導管５の下端５１は空間区域１２内に連通され、導管５の下端５１の最低点が内凹部１４に設置された浸水部材２上縁の最高点より低く（つまり、浸水部材２上縁の最高点が導管５下端５１の最低点より高い）、空間区域１２と空間区域１２外側の空気の連通に用いられる。
また、導管５は一体成型方式で内層プランター１０または外層プランター１１の適切な箇所に結合させるか、或いは導管５を内層プランター１０または外層プランター１１の適切な箇所に組み立て方式で組み込んでもよい。
【００２７】
本実施例では、参考例と同様に注水ユニット（図示しない）が内層プランター１０または外層プランター１１の適切な箇所に設置される。注水ユニットは空間区域１２内に連通され、注水ユニットを覆って封鎖ユニット（図示しない）が螺合固定され、気体漏れのない密閉状態が形成される。
【００２８】
使用時は、まず浸水部材２（複数の腐らない粒子２０、２０’を焼結して形成される）を内層プランター１０の内凹部１４に入れ、且つ浸水部材２の末端を浸水孔１４１と空間区域１２の接続位置に緊密に隣接させるか、浸水孔１４１を貫通させて空間区域１２内に進入させた後、土壌８と植物９０を順次内層プランター１０の凹陥状の収容区域１３内に入れて植え付ける。
また、直接中空透明凹陥状の外層プランター１１内に、水位が外層プランター１１の最高水位表示部１１９の最高位置に接近するまで（但し最高水位表示部１１９の最高位置を超過しないようにして、外層プランター１１の最高水位表示部１１９を超過した水が内層プランター１０の体積で押し上げられて、密閉状に結合されていない空間区域１２の外層プランター１１上縁箇所から外側に溢れ出すことを回避する）直接水を入れる（図６参照）。
【００２９】
次いで、浸水部材２、土壌８、植物９０を設置済みの内層プランター１０の結合部１０８と外層プランター１１の接合部１１８を組み立て、外層プランター１１の外側上端面が漏れ防止ユニット３を緊密に圧迫して変形させるまで締める（即ち漏れ防止ユニット３が内層プランター１０の内側上端面と外層プランター１１の外側上端面の間に緊密に挟み込まれる）。
すると、内層プランター１０と外層プランター１１の間に、密閉状の上半部区域１２０を備えた中空状の空間区域１２が形成され、且つ水位を同期して空間区域１２及び導管５の適切な高さまで上に向かって移動させることができる（図７参照）。
空間区域１２の上半部区域１２０は、外層プランター１１の接合部１１８から浸水孔１４１までの間の区域を指すか、外層プランター１１の接合部１１８から導管５の下端５１までの間の区域を指す。
【００３０】
このとき、内層プランター１０と外層プランター１１間に挟まれた中空状の空間区域１２の上半部区域１２０が密閉状となっているが、導管５内に位置する水が受ける大気圧と引力の作用及び浸水部材２の下端が空間区域１２内に突出して水に接触することによる毛細管作用及び収容区域１３内の乾燥した土壌８の吸収作用で、導管５内の水位が先にその下端５１箇所まで下がった（即ち、浸水部材２上方の部分の土壌８から空間区域１２までの間が水分子で満ちる）後、一部の水分子を浸水部材２の毛細管作用により上に向かって流入させて土壌８に吸收させることができる。
【００３１】
土壌８に空間区域１２内の水分を継続して吸収させたい場合、別の一部の土壌８が乾燥しているため、または水の揮発作用のために、水分子を空間区域１２内から上に向かって流入させることができ、且つ空間区域１２の上半部区域１２０内の圧力が大気圧より若干低いため、大気圧が導管５から空間区域１２の密閉状の上半部区域１２０内に流入し（即ち空気が補充される）、空間区域１２内の水がサイホン作用によって上に向かって土壌８に継続して流入して浸み込み、土壌８が水分子を吸収して一定割合の湿度が保たれるようにすることができる。
【００３２】
最後に、土壌８内の水分子が植物９０の根部に吸収され、または土壌８外側の空気により揮発されると、空間区域１２内の水分子が継続的に浸水部材２及び浸水孔１４１間の毛細管作用及びサイホン作用によって上に向かって土壌８内に流入し、空間区域１２内の水位が浸水部材２の末端に接触できなくなるまで下降する。即ち、このときが再注水の最終的なタイミングを表す。
このように、空間区域１２を有効な貯水区域として利用し、空間区域１２内の最大貯水量を増加することができ、且つ空間区域１２内の水を受動式の微量化した自動給水効果により土壌８に供給して、土壌８を一定の湿度に保つことができ、空間区域１２内の貯水量で一定期間別途水遣りすることなく給水を持続するように確保でき、旅行や外出時も毎日水遣りの必要なく植物の正常な生長を保持するという利便性を有し、従来のプランターのように底部の水分が多すぎて植物が根腐れする現象を防止し、克服することができる。
【００３３】
図１０は、本発明の実施例２を示す。
透明材質の内層プランター１０と外層プランター１１を組み立て、中空状の空間区域１２が形成される。空間区域１２内にあらかじめ造景物８５、栽培用水生植物９１及び養殖用水生動物９２を配置する。光線が空間区域１２内まで射し込むため、水生植物９１の光合成に用いることができ、水中の酸素含有量を増加し、水生動物９２の食用草類の拠所として、空間区域１２を１つの生態区域に変え、より活性化した、より栄養分の豊富な水質を提供し、内層プランター１０内に植えた植物９０の成長に供するために用いることができる。
【００３４】
本実施例によれば、消費者が直接目視で水を加えるときの最高水位の高さ、土壌湿度の制御、植物の生長の観察研究、貯蔵水の流れる方向と流速の観察ができるほか、同時に空間区域１２内で別途水生植物９１を栽培したり、水生動物９２を育てたり、造景物８５を入れたりして、室内環境の美化と室内空間の緑化を図ることができ、且つ病媒蚊の発生を防止して、オフィスで働く人々の仕事のストレスを緩和し、作業効率を高めることに役立てることができる。
その他の構成及び使用方法は、実施例１と同様である。
【００３５】
図１１は、本発明の実施例３を示す。
実施例３では、導管５を相互に組み立てる方式で内層プランター１０または外層プランター１１の適切な箇所に組み込み、導管５の下端５１を直接内層プランター１０の凹陥状の収容区域１３の底面１０１に挿入して、空間区域１２内まで伸入させ、空間区域１２と空間区域１２外側の空気の連通に用いることができる。
また、注水ユニット１５を覆って封鎖ユニット４が螺合固定され、注水ユニット１５と封鎖ユニット４の間には漏れ止め部材４５が挟んで設置され、気体漏れのない密閉状態を形成するために用いられる。
なお、プランターユニット１の他の構造及び浸水部材２の構造は、いずれも参考例及び実施例１〜２の説明において詳細に説明しているため、ここでは説明を省略する。
【００３６】
以上の説明は、本発明の最良の実施例に基づくものであり、本発明の権利範囲を限定するものではなく、本発明の特許請求の範囲を逸脱しない変更または修飾はいずれも本発明の権利範囲内に含まれる。
【符号の説明】
【００３７】
１        プランターユニット
１０      内層プランター
１０１    底面
１０２    側面
１０２５  環状面
１０３    環状Ｕ字形凹面
１０８    結合部
１１      外層プランター
１１８    接合部
１１９    最高水位表示部
１２      空間区域
１２０    上半部区域
１３      収容区域
１４      内凹部
１４１    浸水孔
１５      注水ユニット
１５１    螺合部
１５２    雌ネジ
２        浸水部材
２０、２０’  粒子
２１      微小流路
３        漏れ防止ユニット
４        封鎖ユニット
４１      雌ネジ
４２      雄ネジ
４５      漏れ止め部材
５        導管
５０      上端
５１      下端
８        土壌
８５      造景物
９０      植物
９１      水生植物
９２      水生動物
【図１】
0005461505.tif 000002
【図２】
0005461505.tif 000003
【図３】
0005461505.tif 000004
【図４】
0005461505.tif 000005
【図５】
0005461505.tif 000006
【図６】
0005461505.tif 000007
【図７】
0005461505.tif 000008
【図８】
0005461505.tif 000009
【図９】
0005461505.tif 000010
【図１０】
0005461505.tif 000011
【図１１】
0005461505.tif 000012